(57)【特許請求の範囲】
【請求項１】
放送予定の番組に関する番組情報を取得する番組情報取得手段と、
録画予約を希望する番組についての番組条件を優先順位付きで設定するための番組条件設定手段と、
録画可能な時間を設定するための録画可能時間設定手段と、
前記番組情報取得手段により取得された番組情報から前記番組条件設定手段により設定された番組条件に合致する番組を抽出し、前記番組条件設定手段により設定された番組条件に合致する番組の時間合計が前記録画可能な時間を超過した際に、前記抽出した番組の中から優先順位の高い番組条件に合致する番組の順に予約すべき番組を決定する予約すべき番組を決定する予約番組決定手段と、
前記予約番組決定手段により決定された番組の録画を予約する予約手段とを有することを特徴とする録画予約装置。
【請求項２】
前記番組条件設定手段は、前記予約手段による予約の履歴を基に前記録画予約を希望する番組についての番組条件の優先順位を決定することを特徴とする請求項１記載の録画予約装置。
【請求項３】
放送予定の番組に関する番組情報を取得する番組情報取得手段と、
録画予約を希望する番組についての少なくとも一つの番組条件を点数付きで設定するための番組条件設定手段と、
録画可能な時間を設定するための録画可能時間設定手段と、
前記番組情報取得手段により取得された番組情報から前記番組条件設定手段により設定された番組条件に合致する番組を抽出し、前記番組条件設定手段により設定された番組条件に合致する番組の時間合計が前記録画可能な時間を超過した際に、前記抽出した番組の中から点数の合計が最大となるように予約すべき番組を決定する予約番組決定手段と、
前記予約番組決定手段により決定された番組の録画を予約する予約手段とを有することを特徴とする録画予約装置。
【請求項４】
前記番組条件設定手段は、前記予約手段による予約の履歴を基に、前記録画予約を希望する番組についての番組条件の点数を決定することを特徴とする請求項３記載の録画予約装置。
【発明の詳細な説明】
【０００１】
【発明の属する技術分野】
本発明は放送番組の録画予約装置に関する。
【０００２】
【従来の技術】
一般家庭においてＶＴＲ（ビデオテープレコーダ）の普及により、テレビ放送を録画予約しておき、外出中に録画された番組を帰宅後に見ることは、従来から多く行われている。
【０００３】
録画予約は通常、新聞のテレビ番組欄や市販のテレビガイドを参照して所望の番組を選択し、その番組の録画予約操作である録画月目、開始時間、終了時間、チャンネル等の設定を手作業で行なうことで実現される。現在の番組チャンネル数は、ＮＨＫや民間放送局などを合わせて１０チャンネル程度であるため、このような番組の選択作業および録画予約操作は視聴者にとってそれほど負担になるものではない。
【０００４】
しかし、近年のケーブルテレビやディジタル放送の普及によって、番組のチャンネル数は増加し続けており、今後、数百チャンネルの番組が放送される時期も近い。このようにチャンネル数が膨大になると、毎日の番組表に全部目を通し、録画予約する番組を選択する手間はかなり多大になると予想される。しかも、番組のチャンネル数が増えると、視聴者にとって興味がある番組を見落とす可能性も生じてくることが予想される。
【０００５】
また、せっかく興味ある番組を見つけ出しても、録画予約情報の読み取りや録画予約操作を間違えるということが要因となって、その録画予約が行われないという事態が生じることも予想される。
【０００６】
以上の背景から、視聴者が所望する番組をもれなく検索し、番組の録画予約の確実な実行と省力化を図る方法に対する要望がますます高まっている。
このような要望に対して、予め予約すべき番組に関する条件を指定しておき、その条件に基づいて予約すべき番組を抽出し、抽出された番組に対し予約を実行する録画予約装置が特開平７−１２１９３５に開示されている。
【０００７】
ところで、ＶＴＲに代表される録画機器では、当然のことながらテープなどの記憶媒体の容量から録画可能な時間に制限がある。しかしながら、上述した従来の録画予約装置では、この録画可能時間をなんら考慮していないため、ユーザが希望する条件に合致した番組の時間合計が録画可能時間を超える場合がある。このような場合、予約したすべての番組を録画することはできず、その一部しか録画できないことになってしまう。
【０００８】
【発明が解決しようとする課題】
上述したように、従来の録画予約装置では、録画可能な時間に制限があるという点が考慮されていないため、ユーザが録画を希望する番組を抽出してもその時間合計が録画可能時間を超えた場合その一部しか録画できないといった事態が事後的に生じ、実用上十分なものとは言えないという問題点があった。
【０００９】
この発明は、上述のような事情に鑑みてなされたもので、番組の録画予約の確実な実行と省力化を図りかつ、録画可能な時間に制限がある場合にも、ユーザの好みに合致した番組を容易に録画でき、録画予約の手間を軽減することができる実用的な録画予約装置を提供することを目的とするものである。
【００１０】
【課題を解決するための手段】
上記の課題を解決するために、本発明に係る録画予約装置は、放送予定の番組に関する番組情報を取得する番組情報取得手段と、録画予約を希望する番組についての少なくとも一つの番組条件を設定するための番組条件設定手段と、録画可能な時間を設定するための録画可能時間設定手段と、番組情報取得手段により取得された番組情報から番組条件設定手段により設定された番組条件に合致する番組を抽出し、該抽出した番組の中から録画可能時間設定手段によって設定された録画可能時間を基に、予約すべき番組を決定する予約番組決定手段と、この予約番組決定手段により決定された番組の録画を予約する予約手段とを有することを特徴とする。
【００１１】
ここで、番組条件設定手段は、録画予約を希望する番組についての番組条件を優先順位付きで、あるいは点数付きで設定できるように構成されていてもよい。この場合、予約番組決定手段では、番組条件設定手段により設定された番組条件に合致する番組の時間合計が録画可能時間を超過した際に、抽出した番組の中から優先順位の高い番組条件に合致する番組の順に、あるいは点数の合計が最大となるように、予約すべき番組を決定する。
【００１２】
また、番組条件設定手段においては、番組予約手段による予約の履歴を基に録画予約を希望する番組についての番組条件の優先順位や点数を決定してもよい。さらに、本発明に係る他の録画予約装置は、放送予定の番組に関する番組情報を取得する番組情報取得手段と、録画予約を希望する番組についての少なくとも一つの番組条件を設定するための番組条件設定手段と、録画可能な時間を設定するための録画可能時間設定手段と、番組情報取得手段により取得された番組情報から番組条件設定手段により設定された番組条件に合致する番組を抽出し、該抽出した番組の中から録画可能時間設定手段によって設定された録画可能時間を基に、予約すべき番組の候補を呈示する番組候補呈示手段と、この番組侯補呈示手段により呈示された番組候補から予約すべき番組を決定するための予約番組決定手段と、この予約番組決定手段により決定された番組の録画を予約する予約手段とを有することを特徴とする。
【００１３】
この発明は上述した構成により、視聴者が所望する番組をもれなく検索し、録画可能な時間に制限がある場合にも、ユーザの好みに合致した番組の録画予約が確実かつ容易に実現される。
【００１４】
【発明の実施の形態】
以下、この発明の実施の形態を図面を参照して説明する。
（第１の実施形態）
図１は、本発明の第１の実施形態に係る録画予約装置の全体構成図である。
【００１５】
図１に示すように、録画予約装置１０は番組情報取得部１１と、番組条件設定部１２と、録画可能時間設定部１３と、予約番組決定部１４と、番組予約部１５から構成される。そして、この例では番組予約装置１０に例えばＶＴＲや、ＤＶＤ−ＲＡＭ（記録再生可能なディジタルヴァーサタイルディスク）を用いたＤＶＤプレイヤーなどの録画機器３０が接続されている。以下、図１の各部について説明する。
【００１６】
番組情報取得部１１は、新聞やテレビ雑誌などのテレビ番組表に書かれているような例えば１週間、１ヵ月といった一定期間内の放送予定の番組に関する番組情報２０、具体的には放送日時、番組名、ジャンル、出演者名などの情報を取得するものである。ディジタル放送では、このような番組情報のデータを放送信号に多重化することが可能であるので、番組情報取得部１１はテレビチューナ等で受信した放送信号からこのデータを分離して番組情報２０を取得することができる。また、例えば発行された番組情報のデータを格納したＣＤ−ＲＯＭなどの記録媒体を予め入手しておき、この記録媒体の内容を番組情報取得部１１で読み取って番組情報２０を取得してもよい。
【００１７】
番組条件設定部１２はユーザ（視聴者）が番組の予約を希望するジャンルや出演者等の番組条件を設定するためのもので、具体的にはテレビ画面上に予約画面として表示し、これをユーザが見ながら番組条件を設定することができる。
【００１８】
録画可能時間設定部１３は、録画機器３０による録画可能時間を抽出し設定する。具体的には、録画機器３０で用いるテープやディスクなどの記録媒体の容量と記録済の容量から計算で録画可能時間を求めてもよいし、録画機器３０自身が録画可能時間のデータを算出する機能を持つものであれば、そのデータを受取ってもよい。
【００１９】
また、上述の抽出機能とは別に、或いは上述の抽出機能に加えてユーザが録画可能時間を指定し設定してもよい。
予約番組決定部１４は、番組情報取得部１１で取得された番組情報から、番組条件設定部１２により設定された番組条件に合致する番組を抽出し、この抽出した番組の中から録画可能時間設定部１３で設定された録画可能時間を基に予約すべき番組を選択して決定する。即ち、番組情報取得部１１で取得された番組情報にはジャンルや出演者の異なる様々な番組が含まれており、予約番組決定部１４ではこれら多数の番組の中から番組条件設定部１２により設定された番組条件に合致する番組を予約すべき番組として決定する。
【００２０】
そして、番組予約部１５は予約番組決定部１４で決定された番組の録画予約の命令を録画機器３０に対して送出する。録画機器３０は、一般に本体に備えられたキーによる入力またはワイヤレスのリモコンユニットから録画予約が可能であるが、これとは別にライン入力で録画予約データを受け付けられるようにすれば、番組予約部１５から録画予約データを録画機器３０に伝送することにより録画予約を行うことができる。また、番組予約部１５にリモコンユニットと同様の録画予約データ伝送機能を持たせ、これをワイヤレスで録画機器３０に伝送することで録画予約を行うようにしてもよい。
【００２１】
以下、本実施形態に係る録画予約装置を用いた録画予約の動作を図１から図１１を参照しながら説明する。
図２は、番組条件設定部１２で設定される番組条件の一例を示すものである。各条件は、例えば番組のジャンル、出演者、キーワード等の情報の組から構成される。この例では、１番目の番組条件はジャンルが「映画」で出演者が「俳優Ａ」、２番目の番組条件はジャンルが「ドラマ」で出演者が「俳優Ｂ」、３番目の条件はジャンルが「教養」でキーワードが「中国」、そして４番目の条件はジャンルが「音楽」でキーワードが「ポップス」である。予約番組として決定されるためには、この例の場合上記４種類の条件のいずれかに合致する必要がある。
【００２２】
また、図３から図５は番組条件設定部のイメージを示すものである。図３と図４のハッチング部分は、ボタンあるいはタッチメニューを表しており、ユーザが図３で例えば「ジャンル」のメニューを選択すると、図４のようにジャンルの候補の一覧が表示される。ここで、「ドラマ」を選択すると、図５のようにジャンルの条件として「ドラマ」が設定される。このようなジャンル等の番組条件の情報入力は、ボタンあるいはメニュー操作で行なってもよいし、あるいは別途キーボードやペン入力を用いて行なってもよい。
【００２３】
次に、録画可能時間設定部１３は、録画可能な時間を求める。これは、録画機器３０内の録画記録媒体の容量で決まる最大録画可能時間から、今までに録画された番組の中で保存対象となっている番組の録画時間を差し引くことで決定することができる。例えば、図６のように最大録画可能時間が８時間で、保存対象である既録画分の番組の録画時間が２時間とすると、その差６時間が録画可能時間となる。
【００２４】
録画機器３０は、録画実行時の画質等を変更することにより録画可能な時間を変更することができる機種である場合がある。例えば、ＶＨＳ方式のＶＴＲは標準モードと３倍モードの二つの録画モードを備えており、記録媒体として最も容量の大きい１８０分テープを用いた場合、録画時間は標準モードでは３時間、３倍モードでは９時間となる。
【００２５】
この場合、録画可能時間設定部１３は、録画機器３０の録画モード毎に録画可能時間を求めるものであってもよい。
なお、録画した番組の中で消去して構わないものと保存するものとを区別するためには、例えば図６のように保存するものか否かを示すフラグ欄を設けておき、ユーザがそれをチェックするようにすればよい。
【００２６】
次に、予約番組決定部１４は、例えば図７のフローチャートに示す手順で予約番組を決定する。例として、設定された番組条件に合致した番組のリストが図８で示されるものであり、録画可能時間が６時間であるときの、予約番組を求めてみる。録画する番組の優先順位は、図９のように、番組条件設定部１２で録画条件を設定する段階でつけておくこととする。図９のように設定された番組条件に合致した番組とそれらの優先順位は、図１０のようになり、このときの予約する番組の候補は、番組Ａ，Ｂ，Ｃの３つである。
【００２７】
まず、図７のフローチャートのステップＳ１０１により録画可能時間Ｔは６時間となる。
次に、ステップＳ１０２により、番組の候補の中から優先順位の１番高い番組Ｂを選択する。番組Ｂの放映時間は５４分であり録画可能時間Ｔの６時間よりも短いので、ステップＳ１０３の判定結果はＹｅｓとなり、ステップＳ１０４が実行される。ここで番組Ｂは予約番組に決定され、録画可能時間Ｔから番組Ｂの放映時間５４分を差引いた５時間６分にＴが変更される。そして、ステップＳ１０５により、番組Ｂを検索対象となる番組候補から除く。
【００２８】
ステップＳ１０６により、番組候補Ａ，Ｃが検索対象としてまだ残っているためステップＳ１０２に戻り同様の処理を進めると、優先順位が２番、３番である番組Ａ，Ｃが予約番組として決定され、全ての番組候補の検索が終わったところで終了する。従って、この例の場合は番組Ａ，Ｂ，Ｃのすべてが予約番組に決定される。
【００２９】
この決定に従い、番組予約部１５は番組Ａ，Ｂ，Ｃすべての録画予約の命令を録画機器３０に送出し、この命令を受けた録画機器３０は番組Ａ，Ｂ，Ｃの録画を行なう。
【００３０】
なお、録画機器３０が、上述のように録画モードを変更することにより録画可能な時間を変更することができる機種である場合は、番組予約部１５は録画予約の命令を送出する際に、番組だけでなくその番組の録画を実行するときの録画モードを録画機器３０に併せ伝達するものであってもよい。
【００３１】
一方、前記の例で、録画可能時間が６時間の代わりに２時間であったとする。図８より、設定された番組条件に合致した番組Ａ，Ｂ，Ｃの放映時間の合計は３時間４８分で、録画可能な時間を超過しているため、上記の番組をすべて予約番組に決定することはできない。
【００３２】
この場合について前記の例と同様に、図７に従って予約番組を決定していく。まず、ステップＳ１０１により録画可能時間Ｔは２時間となり、優先順位が１番である番組ＢがステップＳ１０２で選ばれ、ステップＳ１０３では、番組Ｂの放映時間が５４分と録画可能時間Ｔの２時間より少いので、ステップＳ１０４に進み予約番組として決定される。このとき、録画可能時間Ｔから番組Ｂの放映時間５４分を差引いた１時間６分にＴが変更される。そして、ステップＳ１０５により、番組Ｂを検索対象となる番組候補から除き、ステップＳ１０６により、ステップＳ１０２に戻り、同様の処理を行う。
【００３３】
次に、優先順位が２番である番組ＡがステップＳ１０２で選ばれ、その放映時間が１時間５４分と録画可能時間Ｔの１時間６分よりも長いため、ステップＳ１０３の判定結果はＮｏとなり、ステップＳ１０４に進まずステップＳ１０５に進み、その結果番組Ａは予約番組として決定されない。そして、番組Ａを検索対象となる番組候補から除き、ステップＳ１０６により、ステップＳ１０２に戻り、再度同様の処理を行う。
【００３４】
次に、優先順位が３番である番組ＣがステップＳ１０２で選ばれ、その放映時間が１時間と録画可能時間Ｔの１時間６分よりも短いため、ステップＳ１０３の判定結果はＹｅｓとなり、ステップＳ１０４で予約番組として決定される。ステップＳ１０５で番組Ｃを検索対象となる番組候補から除き、検索対象となる番組がなくなったので終了する。こうして、この場合の予約番組は、番組ＢとＣに決定される。以下の録画予約の動作は、前記の例と同様である。
【００３５】
そして、録画予約後図１１のように予約状況が画面に表示され、ユーザに通知される。
（第２の実施形態）
図１２は、本発明の第２の実施形態に係る録画予約装置の全体構成図である。図１２に示すように、録画予約装置１０は番組情報取得部１１と、番組条件設定部１８と、録画可能時間設定部１３と、予約番組決定部１４と、番組予約部１５から構成される。番組情報取得部１１と、録画可能時間設定部１３と、予約番組決定部１４は、前記実施形態１の構成例のそれと同様である。
【００３６】
番組予約部１５は、予約番組決定部１４の決定に従って、番組の録画予約の命令を録画機器３０に送出すると共に、番組予約履歴情報２１を出力する。
番組条件設定部１８は、番組予約部１５が出力した番組予約履歴情報２１を取り込み、それを基に、番組のジャンルや出演者など、視聴者の好みを表す条件を設定する。
【００３７】
図１３に、番組予約履歴情報２１の例を示す。ジャンルの他、特定の出演者やキーワードを含む番組を録画した回数がそれぞれ記されている。このような情報を基に、図９のように録画する番組の優先順位を決定し、番組条件の設定を行なう。以下の処理は、前記実施形態１の構成例のそれと同様である。
【００３８】
なお、図１３では番組予約履歴情報２１として、番組の録画回数を含んでいたが、特定の出演者やキーワードを含む番組に対してそれを録画した割合であってもよい。
【００３９】
（第３の実施形態）
図１４は、本発明の第３の実施形態に係る録画予約装置の全体構成図である。図１４に示すように、録画予約装置１０は番組情報取得部１１と、番組条件設定部１２と、録画可能時間設定部１９と、予約番組決定部１４と、番組予約部１５から構成される。
【００４０】
番組情報取得部１１と、番組条件設定部１２と、予約番組決定部１４と、番組予約部１５は、前記実施形態１のそれと同様である。録画可能時間設定部１９にてユーザが録画可能時間を設定する。
【００４１】
なお、録画機器３０が、上述のように録画モードを変更することにより録画可能な時間を変更することができる機種である場合は、録画可能時間設定部１９にてユーザが録画可能時間を設定するときに、併せてそのときの録画モードを設定するものであってもよい。
【００４２】
本実施例に係る録画予約装置を用いた録画予約の動作を以下簡単な例で説明する。
まず、番組条件の設定を前記実施形態１と同様図２のごとく行なう。
【００４３】
次に、録画可能時間設定部１９では、録画可能な時間をユーザが指定し設定する。
ここで、予約番組決定部１４は、番組条件設定部１２で設定された条件と、録画可能時間設定部１９で設定された録画可能時間を基に、番組情報取得部１１で取得した放送される番組情報の中から予約すべき番組を決定する。決定は、例えば図１５のフローチャートに示す手順で行なわれる。
【００４４】
なお、図１５の中のＧは番組グループを表し、Ｓはその番組グループＧに含まれる番組の合計点数を表す。また、Ｇｍａｘは番組グループＧの集合の中で合計点数Ｓが最大のものを表し、ＳｍａｘはＧｍａｘに含まれる番組の合計点数を表す。最初は番組グループＧがまだ求められていないためＧｍａｘは空集合Φであり、そのためＳｍａｘは０点である。
【００４５】
例として、設定された番組条件に合致した番組のリストが、前記実施形態１と同様図８に示されるもので、ユーザが録画可能時間として４時間を設定したときの予約番組を求めてみる。また、番組の点数は、図１６のように、番組条件設定部１２で録画条件を設定する段階で、録画を希望する程度に応じてつけておくこととする。図１６のように点数がつけられた場合に、設定された番組条件に合致した番組のそれぞれの点数は、図１７のようになる。
【００４６】
この場合の番組グループＧは全部で７つ存在し、それぞれのグループに含まれる番組とその合計点数Ｓは次の通りとなる。なお、括弧内は合計点数Ｓを表す。
番組ＡとＢとＣ（１１点）、ＡとＢ（９点）、ＡとＣ（８点）、ＢとＣ（５点）、Ａのみ（６点）、Ｂのみ（３点）、Ｃのみ（２点）の合計７グループ。
【００４７】
まず、ステップＳ２０１にて空集合ΦがＧｍａｘに、０点がＳｍａｘに入力される。ステップＳ２０２にて番組グループＧが一つ求められ、例えば番組ＡとＢとＣのグループが求められたとする。このとき番組ＡとＢとＣのグループの合計点数は１１点であることから、ステップＳ２０３にてこの１１点がＳに入力される。このときＳｍａｘはまだ０点であり、この番組グループの合計点数Ｓの１１点の方が大きいので、ステップＳ２０４にてＹｅｓと判定され、ステップＳ２０５に進む。
【００４８】
次に、ステップＳ２０５では、このときの番組グループである番組ＡとＢとＣのグループがＧｍａｘに、そのグループの合計点数である１１点がＳｍａｘに入力される。ステップＳ２０６では、この時点でまだ調べていない番組グループがあと６グループあることからＮｏと判定されステップＳ２０２に戻る。
【００４９】
次にステップＳ２０２にて番組ＡとＢのグループが求められたとすると、ステップＳ２０３でこのグループの合計点数である９点がＳに入力される。この時点でＳｍａｘは１１点であり、Ｓの９点より大きいためステップＳ２０４ではＮｏと判定され、ステップＳ２０５には進まず、ステップＳ２０６に進む。そしてこの時点でまだ調べていない番組グループがあと５グループあることから再びＮｏと判定されステップＳ２０２に戻る。
【００５０】
以下同様にして残り５グループが順次調べられる。
この例では、番組ＡとＢとＣのグループの合計点数が１１点と最大であることから、すべての番組グループを同様に順次調べ終わって、ステップＳ２０７に進んだとき、Ｇｍａｘはこの番組ＡとＢとＣのグループであり、番組Ａ，Ｂ，Ｃが最終的に予約番組に決定される。
【００５１】
この決定に従い番組予約部１５は、番組Ａ，Ｂ，Ｃすべてを予約する。なお、録画機器３０が、上述のように録画モードを変更することにより録画可能な時間を変更することができる機種である場合は、番組予約部１５は録画予約の命令を送出する際に、番組だけでなくその番組を録画するときの録画モードを録画機器３０に併せ伝達するものであってもよい。さらにこの命令を受けた録画機器３０は番組Ａ，Ｂ，Ｃの録画を行なう。
【００５２】
ここで別の例として、前記の例と番組条件は同一で、録画可能時間が４時間の代わりに２時間と設定されたときの予約番組を求めてみる。
この場合の録画可能時間である２時間を超えないように番組グループＧを求めると、番組ＢとＣ，Ａのみ、Ｂのみ、Ｃのみ、という４つのグループが求められる。この４つのグループの中で、番組Ａのみのグループの合計点数が６点と最大であることから、このグループがＧｍａｘとなり、最終的に予約番組は、番組Ａに決定される。
【００５３】
この決定に従い、番組予約部１５は番組Ａの録画予約の命令を録画機器３０に送出し、この命令を受けた録画機器３０は番組Ａの録画を行なう。
（第４の実施形態）
図１８は、本発明の第４の実施形態に係る録画予約装置の全体構成図である。図１８に示すように、番組情報取得部１１と、番組条件設定部１８と、録画可能時間設定部１９と、予約番組決定部１４と、番組予約部１５から構成される。
【００５４】
番組情報取得部１１と、番組条件設定部１８と、予約番組決定部１４と、番組予約部１５は、前記実施形態２のそれと同様であり、録画可能時間設定部１９は前記実施形態３のそれと同様である。
【００５５】
番組予約履歴情報２１は、前記実施形態２と同様、図１３の例のようになる。ジャンルの他、特定の出演者やキーワードを含む番組を録画した回数がそれぞれ記されている。このような情報を基に、図９のように録画する番組の優先順位を決定し、番組条件の設定を行なう。以下の処理は、前記実施形態３のそれと同様である。
【００５６】
なお、図１３では番組予約履歴情報２１として、番組の録画回数を含んでいたが、特定の出演者やキーワードを含む番組に対してそれを録画した割合であってもよい。
【００５７】
（第５の実施形態）
図１９は、本発明の第５の実施形態に係る録画予約装置の全体構成図である。図１９に示すように、番組情報取得部１１と、番組条件設定部１２と、録画可能時間設定部１３と、番組候補呈示部１６と、予約候補選択部１７と、番組予約部１５から構成される。
【００５８】
番組情報取得部１１と、番組条件設定部１２と、録画可能時間設定部１３と、番組予約部１５は、前記実施形態１のそれと同様である。番組候補呈示部１６は、番組情報取得部１１で取得した放送される番組の中から、番組条件設定部１２で設定された番組条件と録画可能時間設定部１３で抽出し設定された録画可能時間に合致した番組のリストを呈示する。予約候補選択部１７は、番組候補呈示部１６で呈示されたリスト中の番組の中からユーザが予約すべき番組を選択する。
【００５９】
本実施形態に係る録画予約装置を用いた録画予約の動作を以下簡単な例で説明する。
番組条件設定部１２で、前記実施形態１と同様に図２で示す番組条件を設定した場合、この条件に合致した番組のリストは図８に示すものになるため、番組候補呈示部１６は、図２０のようなリストを呈示する。
【００６０】
次に、予約候補選択部１７では、ユーザは表示された録画可能時間を基に、呈示されたリストの中の番組から予約する番組、例えば番組ＡとＣを選択する。選択の方法は、図２０のように、番組欄を指定してもよいし、タイトル欄を指定してもよい。なお、この場合の録画可能時間は、２時間５４分以上であると仮定する。
【００６１】
また、録画可能時間の表示は、番組を選択する都度その番組の放送時間分だけ減じられ、新たな録画可能時間が表示されるものであってもよい。
この選択に従い、番組予約部１５は番組Ａ，Ｃの録画予約の命令を録画機器３０に送出し、この命令を受けた録画機器３０は番組Ａ，Ｃの録画を行なう。
【００６２】
【発明の効果】
以上説明したように本発明によれば、録画可能な時間に制限がある場合にも、ユーザの好みに合致した番組を容易に録画でき、録画予約の手間を軽減することが可能となる。
【図面の簡単な説明】
【図１】本発明の第１の実施形態に係る録画予約装置の全体構成を示す図
【図２】番組条件の設定の一例を示す図
【図３】番組条件の設定方法の具体例を示す図
【図４】番組条件の設定方法の具体例を示す図
【図５】番組条件の設定方法の具体例を示す図
【図６】録画可能時間抽出の具体例を示す図
【図７】予約番組を決定する手順を示すフローチャート
【図８】設定された番組条件に合致した番組のリストを示す図
【図９】優先順位付きの番組条件の設定の一例を示す図
【図１０】設定された番組条件に合致した優先順位付きの番組のリストを示す図
【図１１】番組の予約状況を示す図
【図１２】本発明の第２の実施形態に係る録画予約装置の全体構成を示す図
【図１３】番組予約履歴情報の例を示す図
【図１４】本発明の第３の実施形態に係る録画予約装置の全体構成を示す図
【図１５】予約番組を決定する手順を示すフローチャート
【図１６】点数付きの番組条件の設定の一例を示す図
【図１７】設定された番組条件に合致した点数付きの番組のリストを示す図
【図１８】本発明の第４の実施形態に係る録画予約装置の全体構成を示す図
【図１９】本発明の第５の実施形態に係る録画予約装置の全体構成を示す図
【図２０】呈示されたリストにおける番組の選択例を示す図
【符号の説明】
１０…録画予約装置
１１…番組情報取得部
１２…番組条件設定部
１３…録画可能時間設定部
１４…予約番組決定部
１５…番組予約部
１６…番組候補呈示部
１７…予約候補選択部
１８…番組条件設定部
１９…録画可能時間設定部
２０…番組情報
２１…番組予約履歴情報
３０…録画機器
【図１】
0003954186.tif 000002
【図２】
0003954186.tif 000003
【図３】
0003954186.tif 000004
【図４】
0003954186.tif 000005
【図５】
0003954186.tif 000006
【図６】
0003954186.tif 000007
【図７】
0003954186.tif 000008
【図８】
0003954186.tif 000009
【図９】
0003954186.tif 000010
【図１０】
0003954186.tif 000011
【図１１】
0003954186.tif 000012
【図１２】
0003954186.tif 000013
【図１３】
0003954186.tif 000014
【図１４】
0003954186.tif 000015
【図１５】
0003954186.tif 000016
【図１６】
0003954186.tif 000017
【図１７】
0003954186.tif 000018
【図１８】
0003954186.tif 000019
【図１９】
0003954186.tif 000020
【図２０】
0003954186.tif 000021